(57)【要約】【課題】横風が直接吹き付けることがなくなる屋外バリアフリー構造物を提供すること。【解決手段】屋外バリアフリー構造物１は、本体下部に設けられ、横風に対して開口する開口部９を有する。開口部９より上では、本体内部を通って上方に向かい形成される通路であって、当該通路が上方に行くに従って絞られる気流案内路１２が形成される。そして、絞られた気流案内路１２の上方に気流案内路１２の断面積を大きくせずに設けられる開口である吹き出し口部１０が設けられる。この屋外バリアフリー構造物１は、人が往来する通路脇に設置される。この屋外バリアフリー構造物１によれば、遮蔽壁（壁高欄２）だけではその上端部で剥離して、内側にいる人間に直接吹き付けられていた気流が、空中の目に見えないシールド２０の上部で剥離するようになる。これにより、横風等が屋外バリアフリー構造物の内側にいる人に横風等が直接吹き付けることがなくなる。【選択図】        図１
2007224603.tif 000002
【特許請求の範囲】
【請求項１】
本体下部に設けられ、横風に対して開口する開口部と、
前記開口部から本体内部を通って上方に向かい形成される通路であって、当該通路が上方に行くに従って絞られる気流案内路と、
絞られた前記気流案内路の上方に当該気流案内路の断面積を大きくせずに設けられる開口である吹き出し口部と、
を有し、
人が往来する通路脇に設置されることを特徴とする屋外バリアフリー構造物。
【請求項２】
凹状の案内面が風上に向けて立設される気流案内板と、
前記気流案内板との間に形成される気流案内路が絞られるように前記気流案内板に対向して設けられると共に、前記気流案内板の当該案内面よりも縦方向長さが短く、当該案内面との間で下方に開口する開口部を形成するように設けられる整流板と、
を有し、
人が往来する通路脇に設置されることを特徴とする屋外バリアフリー構造物。
【請求項３】
前記気流案内板および整流板は、前記通路脇に既存する構造物に取り付けられることを特徴とする請求項２に記載の屋外バリアフリー構造物。
【請求項４】
前記気流案内板および前記整流板は、前記通路脇に存する壁高欄の上端に設けられることを特徴とする請求項２または３に記載の屋外バリアフリー構造物。
【請求項５】
前記整流板は、前記気流案内板の内側から突出する縦方向のリブに刻む溝に差し込まれて設けられることを特徴とする請求項２〜４のいずれか一つに記載の屋外バリアフリー構造物。
【請求項６】
前記気流案内板に対して前記整流板が複数並設されて全体として一枚の壁となることを特徴とする請求項２〜５のいずれか一つに記載の屋外バリアフリー構造物。
【発明の詳細な説明】
【技術分野】
【０００１】
本発明は、屋外バリアフリー構造物に関するものであり、さらに詳しくは、当該構造物の背後に静穏域を形成するために配置する屋外バリアフリー構造物に関する。
【背景技術】
【０００２】
近年、ユニバーサルデザインの考え方を踏まえた国土交通政策として、（１）旅客施設、バリアフリー経路、周辺施設一体のバリアフリー空間の形成、（２）市街地のバリアフリー化として自転車・歩行者利用空間の確保や安全で快適な利用環境の形成、及び歩いて暮らせるまちづくりへの取組み強化（３）子育て支援への取組みとして子供にとって安全な歩行空間の整備等が提唱されている。
【０００３】
しかし、政策としては取り纏められてはいるが、これまでのバリアフリーの対象者は、高齢者や身体障害者に特化される傾向があり、子供、子供連れ、知的障害など多様な人たちを対象としているとは言えないのが現状である。そのため、バリアフリーが旅客施設や公共施設を中心とした生活圏の一部に限られ、各個人の一連の行動に対応する生活圏の全体をカバーするものになっていないという問題が指摘されている。
【０００４】
具体的に我々の身近な生活環境を見ても、これまでの施策では道路での段差の解消や、階段に変わるスロープやエレベータの設置等で高齢者や身体障害者の保護を行っていることが多い。上記（２）および（３）の観点において、屋外の強風から特に車いす利用者、高齢者、子供等の弱者を保護する技術としては、金属やコンクリート製の壁を通路に沿って構築するもの以外、特に見あたらない。バリアフリーの観点からの技術ではないが、吹き付ける風を通風性と透過視認性を確保しつつ効果的に遮蔽するフェンスの事例は存在する（たとえば、特許文献１）。
【０００５】
【特許文献１】実用新案登録第３０６４７７３号公報（図１、段落１２、２０）
【発明の開示】
【発明が解決しようとする課題】
【０００６】
しかしながら、フェンスを構築するといっても、強風対策としてある程度の遮蔽を必要とすることから、視界の確保、景観の確保、開放感の確保、保安等の観点からの制約が多く、バリアフリーが要求される箇所において広く普及できるものではない。また、屋外であれば、材料の耐久性、フリーメンテナンス性が要求されるところ、透明アクリル板等を駆使して、上記視界の確保、景観の確保等を実現しようとしても、耐久性に欠けてしまう。さらに、屋外に構築する通路をわざわざ遮蔽したのでは、季節感、爽快感、開放感も閉ざされてしまい、快適な環境として好ましいとは言えない。
【０００７】
そこで、この発明は、上記に鑑みてなされたものであって、強風自体で、空気のシールドをつくり、内側を通行する大人、子供、高齢者、車いす利用者等を強風から保護し、静穏域を形成できる屋外バリアフリー構造物を提供することを目的とする。
【課題を解決するための手段】
【０００８】
上述の目的を達成するために、本発明に係る屋外バリアフリー構造物は、本体下部に設けられ、横風に対して開口する開口部と、前記開口部から本体内部を通って上方に向かい形成される通路であって、当該通路が上方に行くに従って絞られる気流案内路と、絞られた前記気流案内路の上方に当該気流案内路の断面積を大きくせずに設けられる開口である吹き出し口部と、を有し、人が往来する通路脇に設置されるようにしたものである。
【０００９】
横からの風は、本体下部の開口部から本体内部に入る。本体内部に入った風は、当該内部を通って気流案内路に沿って本体内部を通り、絞られる。絞られた風は、動圧が高くなっており、それが吹き出し口にて運動エネルギーに変換され、当該吹き出し口から上方に強く吹き出す。これにより、本体上方に空気のシールドが形成され、もはや横風が通路内側を通る人間に直接吹きかかることがなくなる。横風によって横なぐりとなった雨や雪も、上記風と同様に、本体上方に吹き出し、上記と同様に人間に直接吹きかかることがなくなる。なお、「人が往来する通路」は、人が行き来して通り過ぎることがある通路だけでなく、ビルの屋上や、展望台等のように人が立つ、座る、あるいは溜まることのある場所も含むものとする。
【００１０】
つぎの発明に係る屋外バリアフリー構造物は、凹状の案内面が風上に向けて立設される気流案内板と、前記気流案内板との間に形成される気流案内路が絞られるように前記気流案内板に対向して設けられると共に、前記気流案内板の当該案内面よりも縦方向長さが短く、当該案内面との間で下方に開口する開口部をも形成するように設けられる整流板と、を有し、人が往来する通路脇に設置されるようにしたものである。
【００１１】
横風は、整流板よりも下側に顔を出し、開口部の一部である気流案内板の案内面に当たり、凹状の当該案内面に沿って上方に気流が向けられる。上方に流れた空気は、当該案内面と整流板との間に形成される空間で絞られ、そのまま上方に吹き出す。これにより、本体上方に空気のシールドが形成され、もはや横風が通路内側を通る人間に直接吹きかかることがなくなる。横風によって横なぐりとなった雨や雪も、上記風と同様に、本体上方に吹き出し、上記と同様に人間に直接吹きかかることがなくなる。
【００１２】
つぎの発明に係る屋外バリアフリー構造物は、前記屋外バリアフリー構造物において、前記気流案内板および整流板は、前記通路脇に既存する構造物に取り付けられるようにしたものである。
【００１３】
気流案内板および整流板は、壁高欄やガードレールのような既存の構造物にボルト等で固定される。これにより、空気のシールドを形成させる屋外バリアフリー構造物を容易に既存設備に追加することができる。
【００１４】
つぎの発明に係る屋外バリアフリー構造物は、前記屋外バリアフリー構造物において、前記気流案内板および前記整流板は、前記通路脇に存する壁高欄の上端に設けられるようにしたものである。
【００１５】
人が往来する通路が、高架橋や高架連絡通路の上等にある場合、壁高欄が設けられることが多い。その壁高欄の上端に本発明に係る屋外バリアフリー構造物が設けられると、強い風や雨、雪の直接の吹きつけが回避され、万人に優しい通路が容易に構築できる。
【００１６】
つぎの発明に係る屋外バリアフリー構造物は、前記屋外バリアフリー構造物において、前記整流板は、前記気流案内板の内側から突出する縦方向のリブに刻む溝に差し込まれて設けられるようにしたものである。
【００１７】
気流案内板をコンクリートでつくる場合、凹状の案内面をつくると共に、当該案内面から突出するリブを形成しておく。そして、当該リブに溝を刻んでおけば、当該溝に整流板を差し込むだけで、容易に本発明に係る屋外バリアフリー構造物を構築できる。
【００１８】
つぎの発明に係る屋外バリアフリー構造物は、前記屋外バリアフリー構造物において、前記気流案内板に対して前記整流板が複数並設されて全体として一枚の壁となるようにしたものである。
【００１９】
一枚の長い気流案内板を縦方向のリブで細かく仕切ったものを並設すれば、短い整流板をその仕切ごとに差し込むだけで、容易に本発明に係る屋外バリアフリー構造物を長距離に渡って構築できる。また、整流板が短くて済めば、特に高い剛性を有する板を用意せずに済むという利点がある。さらに、コンクリート構造物は、一定の大きさまでは、一体に成形した方がコスト低となり有利である。
【発明の効果】
【００２０】
以上説明したように、この発明に係る屋外バリアフリー構造物によれば、強風自体で、空気のシールドをつくり、内側を通行する大人、子供、高齢者、車いす利用者等を強風から保護できる。また、強風を防止するために大規模なシェルターや背の高いフェンスを構築する必要もないので、視界が確保され、景観を破壊することもない。さらに、本発明にかかる屋外バリアフリー構造物は、背は低くとも、強い風、雨、雪の直接的吹きつけを回避する機能を有するので、閉塞感もなく、季節感、爽快感、開放感も存分に楽しむことができる。
【発明を実施するための最良の形態】
【００２１】
以下、この発明につき図面を参照しつつ詳細に説明する。なお、この実施の形態によりこの発明が限定されるものではない。また、下記実施の形態における構成要素には、当業者が容易に想定できるものが含まれるものとする。
【実施例１】
【００２２】
図１は実施例１に係る屋外バリアフリー構造物の構造を示す断面図である。図２は、同構造物の構造を示す正面図である。また、図３は、同構造物の構造を示す上面図である。ここでは、既存の構造物の例として壁高欄２に、本発明に係る屋外バリアフリー構造物（以下、防風シールド装置という。）１を後付けで取り付けた例を示す。また、本図では設置する地面３に既存の壁高欄２が設置されている状態で、これに架設に支障のない寸法に分割されたユニット単位で防風シールド装置１を搭載してボルト４で固定した例を示す。なお、上記既存の構造物は、壁高欄２に限らず、人が往来する箇所、人が立止まる箇所に設置されるガードレール、欄干、分離帯、柵等の構造物でもよい。それらが当該構造物の防風シールド装置１の下方となる部分で、表面から裏面に空気が通過する構造物であれば、それを遮蔽することで、すべての風が当該防風シールド装置１の後述する開口部に向かうようになるので好ましい。
【００２３】
防風シールド装置１は、本体の下部に設けられ、横風に対して開口する開口部９を有する。開口部９より上には、本体内部を通って上方に向かい形成される通路であって、当該通路が上方に行くに従って絞られる気流案内路１２（深さ１００ｍｍ程度）が形成される。そして、絞られた気流案内路１２の上方に気流案内路１２の断面積を大きくせずに設けられる開口である吹き出し口部１０が設けられる。
【００２４】
また、部材に注目して説明すると、防風シールド装置１は、気流案内版５と、整流板６と、で構成される。図に示すように、気流案内板５は、凹状の案内面１３が風上に向けて立設されるものである。凹状の面は、厳密に全体が凹になっていなければならないという意味でなく、一部平面、一部が曲面となって両者が結合されるものでもよい。
【００２５】
整流板６は、気流案内板５に対向して設けられる。そして、当該整流板６は、気流案内板５の案内面１３との間に形成される気流案内路１２が上方にいくに従って絞られるような位置関係にしておく。整流板６は、気流案内板５の当該案内面１３よりも縦方向長さが短く、案内面１３との間で下方に開口する開口部９をも形成するように設けられる。
【００２６】
また、防風シールド装置１は、通路脇に長い距離に渡って設けられることが多いから、その場合は、気流案内板５から凹面内側で縦方向に連続して突出するリブ７の溝１１に整流板６を差し込むようにする。これによって、一枚の気流案内板５と、等間隔で並設された複数の整流板６とが長い距離にわたって、設置可能となる。なお、リブ部材７に整流板６をボルトなどで直接取り付けて固定することも可能である。しかし、上記溝１１への挿入方式は、ボルト締結部分を不要とし、ボルト締結部の腐食への考慮も不要となるので、上記直接取り付け方式より効率的で好ましい。
【００２７】
防風シールド装置１の材質は鋼板製でもコンクリート製でも同じ効果が期待できるが、ここでは耐久性と部材の製作性を考慮してコンクリート製とした例を示した。また、整流板６も同じコンクリートを材料として製作することが可能であるが、整流板６の厚みが必要となって全体寸法が大きくなること、及び設置後の重量バランスが悪くなることを考慮して、ここでは整流板６は軽量な部材を別に取り付ける形式を採用した。
【００２８】
整流板６を固定する機能上、当該整流板６は、挿入のみで問題ないと思われるが、取付を確実にすること、簡単に外れないこと（盗難防止）を考慮すれば、挿入溝１１の上部にネジ孔を設けてボルトや金具で固定してもよい。なお、ここで整流板６の材質は強度や耐久性からポリカーボネートを想定しているが、その他の材料決定要素として意匠性があり、注文主との協議によって木材、強化ガラス板、アクリル版、ＳＵＳ板、鋼鈑、ＦＲＰ板、陶器板などの採用も可能である。
【００２９】
ここで、本防風シールド装置１の作用について説明する。正面から壁高欄２に当った気流８は、下方が地面３であるため上方に流れを変え、防風シールド装置１の開口部９に流れ込む。そして、当該気流８は、さらに気流案内路１２内部で絞られ、縮流によって圧力が高まり、上部の吹き出し口１０から勢いよく上方に噴出する。部材に注目した表現に換言すれば、横風は、整流板６よりも下側に顔を出して、開口部９の一部を形成する気流案内板５の案内面１３に当たり、凹状の当該案内面１３に沿って上方に気流が向けられる。上方に流れた空気は、当該案内面１３と整流板６との間に形成される空間で絞られ、そのまま吹き出し口１０から上方に吹き出す。これにより、本体上方に空気のシールドが形成される。
【００３０】
図４は、この発明に係る防風シールド装置１の作用を説明図である。この防風シールド装置１によれば、遮蔽壁（壁高欄２）だけではその上端部で剥離して、内側にいる人間に直接吹き付けられていた気流８が、空中の目に見えないシールド２０の上部で剥離するようになる。その効果として当該シールド２０の内側には風の影響の少ない静穏な領域が当該防風シールド装置１の無装着時よりも範囲を拡大して形成されて、通行する歩行者２１や車いす利用者２２、また風速次第では車両に対しても良好な環境を提供できる。
【００３１】
また、横風によって横なぐりとなった雨や雪も、上記風と同様に、本体上方に吹き出しシールド２０を形成し、上記と同様に人間に直接吹きかかることがなくなり、車いす利用者、高齢者、大人、子供の別を問わず良好な環境を提供できる。また、本発明の上記作用により、北国の激しい横なぐりの雪も、壁高欄の内側に積もりにくくなり、歩行者等の歩行エリアが確保されるという効果がある。
【００３２】
さらに、強い横風がない場合は、シールドの発生力が小さいため、内側を歩く歩行者等は、自然な風にあたることができ、季節感や爽快感を十分に感じ取ることができる。他方、強い横風がある場合は、陸上では、基部が地面であって横風による流れを既存構造部が完全に遮蔽し、方向を変えた流れが開口部９にほとんど流れ込むため、大きなシールド効果が期待でき、屋外におけるバリアフリー、ユニバーサルデザインがまさに求める環境を提供することができる。
【００３３】
また、本発明は、自然風に対する対策として使用することができるほかに、狭幅員道路で大型車の走行風圧に曝されている歩行者の保護にも適用が可能である。歩車道分離の縁石や横断防止柵の設備、或いは横断防止柵への水はね防止用アクリル板・ポリカ板の取り付け程度しか設置されていない状況では、交通弱者の幼児や児童、高齢者が特に傘を使用しているときに風圧に煽られてバランスを崩したり、転倒に至る状況も想定される。しかし、本発明を歩車道の境界部に設置することで低層で効果的な歩行者保護壁に代用できる。本発明により、道路付属品のほかに、ビルの屋上、山頂部・海岸部観光地の展望台、防波堤側動部など設置環境が類似した広範囲への適用が可能となる。
【実施例２】
【００３４】
図５は、防風シールド装置３２を一体型で組み込んだ壁高欄を示す断面図である。図６は、図５の同壁高欄を示す正面図である。図７は、図５の同壁高欄を示す上面図である。
ここでは、現地の地面３３に防風シールド装置３２が一体となった壁高欄３１が設置されている状態で、架設に支障のない寸法に分割された部品が両側のＨ杭３４に落とし込まれて固定されている例を示す。
【００３５】
壁高欄３１の上部に掘り込んで組み込まれた防風シールド装置３２は、下部に傾斜した直線部３５と、上部に曲面部３６と、を有する気流案内面３７と、その前面から少し離して配置された整流板３８とからなり、整流板３８の形状保持のために原則等間隔で配置されたリブ３９とで夫々が縮流効果を発揮するための気流案内路４０（深さ１００ｍｍ程度）を形成している。正面から壁高欄３１に当った気流４１は下方が地面３３であるために上方に流れを変え、防風シールド装置３２に流れ込み、さらに気流案内路４０内部で縮流によって圧力が高まり、上部の吹き出し口４２から防風シールド装置３２を形成しながら勢いよく上方に噴出する仕組みは実施例１と同様である。
【００３６】
防風シールド装置３２のリブ３９の材質は鋼板製でもコンクリート製でも同じ効果が期待できるが、ここでは耐久性と部材の製作性を考慮してコンクリート製とした例を示した。また、整流板３８も同じコンクリートを材料として製作することが可能であるが、整流板３８の厚みが必要となって全体寸法が大きくなってしまうという傾向がある。したがって、設置後の重量バランスを良くするためにも、ここでの整流板３８は、実施例１と同じく軽量な部材を別に取り付ける形式を採用した。
【００３７】
更に、リブ部材３９に整流板３８をボルトなどで直接取り付けて固定することは可能であるが、ボルトの腐食等への考慮を不要とできるので、ここではリブ材３９側面に設けた溝４３に整流板を挿入して取り付ける方式としたことも実施例１と同じである。なお、ここでも整流板３８の材質は強度や耐久性からポリカーボネートを想定してあるが、その他の材料決定要素として意匠性があり、注文主との協議によって木材、強化ガラス板、アクリル版、ＳＵＳ板、鋼鈑、ＦＲＰ板、陶器板などの採用も可能である。
【００３８】
防風シールド装置３２を上記のように壁高欄３１と一体にしても、作用は、実施例１と全く同様である。ただし、壁高欄３１に防風シールド装置３２を組み込む際に、実施例１のように単に防風シールド装置３２を表面に取り付けると全体寸法が大きくなり、さらに上部の方に重量が偏ることで、支柱に作用する荷重が増大することがある。そのような場合、この実施例２のように、壁高欄３１のような構造物をえぐって防風シールド装置３２を一体に形成し、可能な限りコンパクトな外形寸法で、かつ重心が低くなるようにする方が好ましい。
【００３９】
また、壁高欄３１上部の表面をえぐって防風シールド装置３２を形成する際に、気流案内面１３の下方を壁高欄３１の表面から滑らかに連続する傾斜面とすることで、より効率的に気流が取り込まれるようになる。また、壁高欄３１と防風シールド装置３２とを組み合わせたことによって、低層でもこれによって作り出される空気、雨、雪が吹き噴き上げ、実質的にシールド分だけ高さが付加され、透明で視界が利く遮風壁が得られるに等しくなる。
【産業上の利用可能性】
【００４０】
以上のように、本発明にかかる屋外バリアフリー構造物は、高架路や地域特有の強風が吹く通路等における防風壁に有用であり、特に、バリアフリー、ユニバーサルデザインが必要とされる通路等に適している。
【図面の簡単な説明】
【００４１】
【図１】実施例１に係る屋外バリアフリー構造物の構造を示す断面図である。
【図２】実施例１に係る屋外バリアフリー構造物の構造を示す正面図である。
【図３】実施例１に係る屋外バリアフリー構造物の構造を示す上面図である。
【図４】実施例１に係る屋外バリアフリー構造物の作用を示す説明図である。
【図５】実施例２に係る屋外バリアフリー構造物の構造を示す正面図である。
【図６】実施例２に係る屋外バリアフリー構造物の構造を示す上面図である。
【図７】実施例２に係る屋外バリアフリー構造物の構造を示す断面図である。
【符号の説明】
【００４２】
１、３２  防風シールド装置
２、３１  壁高欄
３、３３  地面
４  ボルト
５  気流案内版
６、３８  整流板
７、３９  リブ
８、４１  気流
９  開口部
１０、４２  開口
１１、４３  溝
１２、４０  気流案内路
１３、３７  案内面
２０  シールド
２１  歩行者
２２  車いす利用者
３１  壁高欄
３４  杭
３５  直線部
３６  曲面部
【図１】
2007224603.tif 000003
【図２】
2007224603.tif 000004
【図３】
2007224603.tif 000005
【図４】
2007224603.tif 000006
【図５】
2007224603.tif 000007
【図６】
2007224603.tif 000008
【図７】
2007224603.tif 000009